(57)【特許請求の範囲】
【請求項１】
回転軸に装着された回転体を備え、駆動源によって前記回転体が回転駆動されることによってロケット燃料を圧送するロケット燃料用ポンプであって、
前記回転軸と前記駆動源の駆動軸とを磁気的に連結する磁気継手を備え、
前記磁気継手が、前記回転軸に設けられた従動側磁石と、前記駆動源の駆動軸に設けられた駆動側磁石とを備え、
前記従動側磁石及び前記駆動側磁石が永久磁石であり、
前記従動側磁石が、前記回転軸の回転中心軸周りに所定の角度ピッチで円環状に設けられ、
前記駆動側磁石が、前記従動側磁石と対峙するように、かつ、前記従動側磁石と同様な角度ピッチで円環状に設けられ、
前記従動側磁石を前記ロケット燃料によって強制冷却する磁石冷却流路を備え、
前記磁石冷却流路が放射状に並ぶ前記従動側磁石の間に設けられるロケット燃料用ポンプ。
【請求項２】
前記駆動側磁石が、前記回転軸の半径方向において前記従動側磁石に対向する主駆動側磁石と、前記回転軸の延在方向において前記主駆動側磁石を挟むように配置され、前記従動側磁石と同一極性の副駆動側磁石とを備える請求項１に記載のロケット燃料用ポンプ。
【発明の詳細な説明】
【技術分野】
【０００１】
本開示は、ロケット燃料用ポンプに関する。
本願は、２０１７年４月３日に日本に出願された特願２０１７−７３６９０号に基づき優先権を主張し、その内容をここに援用する。
【背景技術】
【０００２】
下記特許文献１には、ロケットエンジンが開示されている。このロケットエンジンは、タービンによって駆動される第１ポンプ及び第２ポンプ（ロケット燃料用ポンプ）で燃料（液体推進薬）を燃焼室に圧送する。上記燃料は、例えば液化メタン、液化天然ガス、液体酸素、液体水素などの極低温推進薬である。
【先行技術文献】
【特許文献】
【０００３】
【特許文献１】日本国特開２０１４−１５９７６９号公報
【発明の概要】
【発明が解決しようとする課題】
【０００４】
ところで、上記ロケット燃料用ポンプでは、機械的な軸受を用いて回転軸をケーシングに回転自在に支持させる構造を備えるので、回転軸とケーシングとの間に燃料（流体）の漏洩経路が形成される。このロケット燃料用ポンプでは、回転軸とケーシングとの間にシール機構を設けることにより燃料（流体）の漏洩量を低減することは可能であるが、燃料（流体）の漏洩量をゼロにすることはできず、漏洩燃料を廃棄せざるを得ない。【０００５】
使い捨てタイプのロケットエンジンでは、漏洩燃料を廃棄することに大きな問題はない。しかしながら、軌道上で長期間に亘って使用されるタイプのロケットエンジンでは、漏洩燃料の廃棄はエンジンの寿命に直接関わってくるので大きな問題となる。【０００６】
本開示は、上述した事情に鑑みてなされ、ロケット燃料用ポンプの回転軸を介したロケット燃料の漏洩を防止することを目的とする。
【課題を解決するための手段】
【０００７】
上記目的を達成するために、本開示の第１の態様は、回転軸に装着された回転体を備え、駆動源によって回転体が回転駆動されることによってロケット燃料を圧送するロケット燃料用ポンプであって、回転軸と駆動源の駆動軸とを磁気的に連結する磁気継手を備える。
【発明の効果】
【０００８】
本開示によれば、回転軸と駆動源の駆動軸とを磁気的に連結する磁気継手を備えるので、回転軸を介したロケット燃料の漏洩を防止することが可能である。
【図面の簡単な説明】
【０００９】
【図１】本開示の一実施形態に係るロケット燃料用ポンプの全体構成を示す断面図である。
【図２Ａ】図１におけるＡ線断面図である。
【図２Ｂ】図１におけるＢ線断面図である。
【図２Ｃ】図１におけるＣ線断面図である。
【発明を実施するための形態】
【００１０】
以下、図面を参照して、本開示の一実施形態について説明する。
図１において、符号Ｐはポンプ、符号Ｔはタービン、また符号Ｒは磁気継手である。本実施形態に係るロケット燃料用ポンプは、ポンプＰ及び磁気継手Ｒから構成されており、駆動源であるタービンＴによって回転駆動される。
【００１１】
ポンプＰは、ロケット燃料を圧送する回転機械であり、図１に示すようにポンプ軸受ケーシング１、ポンプケーシング２、回転軸３、ポンプインペラ４及び２つのポンプ軸受５Ａ，５Ｂを備えている。ポンプ軸受ケーシング１は、例えば鋳造物であり、内部に回転軸３及び２つのポンプ軸受５Ａ，５Ｂを収容するための収容空間Ｓｊが形成されている。この収容空間Ｓｊは、中心軸を有する略円筒状の空間（円筒状空間）である。
【００１２】
ポンプケーシング２は、ポンプ軸受ケーシング１の一端（図１における左端。以下、「左端」と略称する）に固定されており、内部にポンプインペラ４を収容するための収容空間Ｓｉが形成されている。すなわち、このポンプケーシング２は、円筒状収容空間Ｓｊの中心軸方向の一方側（図１における左側。以下、「左側」と略称する）に設けられている。上記収容空間Ｓｉは、収容空間Ｓｊの一端（左端）に連通する空間であり、一方側（左側）の中心部にロケット燃料を吸い込む吸込口２ａが形成されている。また、この収容空間Ｓｉには、中心軸に直交する方向に吐出口２ｂが形成されている。この吐出口２ｂは、ロケット燃料を吐出する開口であり、スクロール流路２ｃを介して収容空間Ｓｉに連通している。
【００１３】
回転軸３は、２つのポンプ軸受５Ａ，５Ｂを介してポンプ軸受ケーシング１に支持されている。すなわち、この回転軸３は、回転中心軸Ｌｐが収容空間Ｓｉの中心軸と同軸となるように２つのポンプ軸受５Ａ，５Ｂを介して収容空間Ｓｊに収容された所定長さの棒状部材である。この回転軸３は、２つのポンプ軸受５Ａ，５Ｂを介してポンプ軸受ケーシング１に支持されているので、回転中心軸Ｌｐ周りに回転自在である。
【００１４】
この回転軸３には、図１に示すように空洞３ａが形成されている。この空洞３ａは、回転軸３の中心に回転中心軸Ｌｐに沿って形成された所定長さの円筒状の孔であり、他端（図１における右端。以下、「右端」と略称する）が収容空間Ｓｊに開口し、一端がポンプインペラ４の内側近傍において、後述する連絡孔３ｂを除き閉塞している。また、回転軸３には、上記空洞３ａの一端に連通する連絡孔３ｂが形成されている。この連絡孔３ｂは、空洞３ａと回転軸３の表面に形成された空間Ｓｒとを連通させる円筒状の孔であり、放射状に複数設けられている。また、上記空間Ｓｒは、回転軸３の表面と、回転軸３の一端（左端）に挿入されたポンプインペラ４の内面とによって囲まれた円環状の空間である。
【００１５】
ポンプインペラ４は、このような回転軸３の一端（左端）に固定された翼車（回転体）である。すなわち、ポンプインペラ４は、回転中心に形成された締結孔に回転軸３の一端が挿入されることにより回転軸３に固定されている。このポンプインペラ４は、回転軸３と共に回転中心軸Ｌｐ周りに回転することによって、吸込口２ａから収容空間Ｓｉに流入したロケット燃料をスクロール流路２ｃに送り出す。
【００１６】
このポンプインペラ４には、連絡孔４ａが形成されている。この連絡孔４ａは、収容空間Ｓｉと空間Ｓｒとを連通させる円筒状の孔であり、上述した回転軸３の連絡孔３ｂと同様に放射状に複数設けられている。
【００１７】
２つのポンプ軸受５Ａ，５Ｂは、回転軸３の回転中心軸Ｌｐの延在方向に所定の距離を隔てて設けられており、固定系であるポンプ軸受ケーシング１に対して回転軸３を回転自在に支持する。このようなポンプ軸受５Ａ，５Ｂは、例えばボールベアリングである。
【００１８】
磁気継手Ｒは、回転軸３とタービンＴ（駆動源）の駆動軸１０とを磁気的に連結する連結機であり、従動継手部６及び駆動継手部７を備えている。従動継手部６は、従動側保持部材６ａ及び複数（８個）の従動側磁石６ｂを備える。従動側保持部材６ａは、回転軸３の他端（右端）つまり回転軸３におけるポンプインペラ４の反対側に、回転中心軸Ｌｐに直交する姿勢で固定された円板である。すなわち、この従動側保持部材６ａは、回転軸３の回転中心軸Ｌｐを中心とし、回転中心軸Ｌｐの延在方向に所定の厚さを有する円板である。
【００１９】
この従動側保持部材６ａには、図２Ｂに示すように、放射状に並ぶ各従動側磁石６ｂの間に冷却孔６ｃがそれぞれ形成されている。すなわち、従動側保持部材６ａには、中心（回転中心軸Ｌｐ）周りに所定の角度ピッチ（４５°ピッチ）で冷却孔６ｃが複数（８個）形成されている。
【００２０】
これら冷却孔６ｃは、図１及び図２Ａ〜図２Ｃに示すように、従動側保持部材６ａにおいて対向する一対の円形面を連通する貫通孔であり、ロケット燃料の流通が自在である。すなわち、これら冷却孔６ｃは、ロケット燃料の流通によって隣接配置された各従動側磁石６ｂを強制冷却する磁石冷却流路である。
【００２１】
複数（８個）の従動側磁石６ｂは、このような従動側保持部材６ａに設けられており、回転軸３の回転中心軸Ｌｐ、つまり従動側保持部材６ａの中心周りに、図２Ｂに示すように所定の角度ピッチ（４５°ピッチ）で円環状に設けられている。これら従動側磁石６ｂは、Ｓ極とＮ極とを有する永久磁石であり、円板状の従動側保持部材６ａを介して回転軸３に固定されている。
【００２２】
また、これら従動側磁石６ｂは、Ｓ極の中心とＮ極の中心とを結ぶ仮想線分が、従動側保持部材６ａの中心（回転中心軸Ｌｐ）から従動側保持部材６ａの円形をなす周縁に向け上記角度ピッチ（４５°ピッチ）で放射状に延びる仮想線分と重なる姿勢で、従動側保持部材６ａに固定されている。なお、図２Ｂに示す従動側磁石６ｂでは、斜線を施した部位がＮ極であり、また白抜きの部位がＳ極である。
【００２３】
また、各従動側磁石６ｂは、図２Ｂに示すように、その軸方向に沿った両端の外径が中央部の外径よりも大きな変形円柱状であり、上記従動側保持部材６ａに所定の角度ピッチ（４５°ピッチ）で円環状に形成された複数（８個）の埋込孔にそれぞれ嵌入されている。すなわち、これら埋込孔は、従動側磁石６ｂの形状と略同一形状に形成されており、従動側磁石６ｂを固定状態に保持する。なお、このような従動側磁石６ｂを保持する従動側保持部材６ａは、磁気抵抗が極力小さい材料、つまり従動側磁石６ｂが発する磁力線を透過し易い材料によって形成されている。
【００２４】
このように構成された従動継手部６は、図１に示すように、回転軸３及び２つのポンプ軸受５Ａ，５Ｂと同様に収容空間Ｓｊに収容されている。すなわち、磁気継手Ｒを構成する従動継手部６及び駆動継手部７のうち、従動継手部６は、ポンプ軸受ケーシング１の内部に収容されている。
【００２５】
一方、駆動継手部７は、駆動側保持部材７ａ、複数の主駆動側磁石７ｂ及び副駆動側磁石７ｃ，７ｄを備える。駆動側保持部材７ａは、駆動軸１０の一端（左端）つまり駆動軸１０においてタービンディスク１１の反対側に設けられた有底円筒状部材である。すなわち、この駆動側保持部材７ａは、駆動軸１０の一端（左端）に固定される底部７ｅと、底部７ｅに一端が連接する筒部７ｆを備える。上記底部７ｅは、駆動軸１０の回転中心軸Ｌｔを中心とする円板状の部位であり、上記筒部７ｆは、駆動軸１０の回転中心軸Ｌｔの延在方向に所定の長さを有する円筒状の部位である。
【００２６】
主駆動側磁石７ｂ及び副駆動側磁石７ｃ，７ｄは、このような駆動側保持部材７ａに設けられた駆動側磁石であり、図２Ａ〜図２Ｃに示すように、駆動軸１０の回転中心軸Ｌｔ周りに所定の角度ピッチ（４５°ピッチ）で円環状に設けられている。これら主駆動側磁石７ｂ及び副駆動側磁石７ｃ，７ｄは、Ｓ極とＮ極とを有する永久磁石であり、駆動側保持部材７ａを介して駆動軸１０に固定されている。
【００２７】
これら主駆動側磁石７ｂ及び副駆動側磁石７ｃ，７ｄは、Ｓ極の中心とＮ極の中心とを結ぶ仮想線分が、駆動側保持部材７ａの中心（回転中心軸Ｌｔ）から駆動側保持部材７ａの円形をなす周縁に向け上記角度ピッチ（４５°ピッチ）で放射状に延びる仮想線分と重なる姿勢で、駆動側保持部材７ａの筒部７ｆに固定されている。なお、図２Ａ〜図２Ｃでは、主駆動側磁石７ｂ及び副駆動側磁石７ｃ，７ｄのＮ極を斜線を施した部位として示し、Ｓ極を白抜きの部位として示している。
【００２８】
また、これら主駆動側磁石７ｂ及び副駆動側磁石７ｃ，７ｄは、図２Ａ〜図２Ｃに示すように、上述した従動側磁石６ｂと同様に、その軸方向に沿った両端の外径が中央部の外径よりも大きな変形円柱状であり、駆動側保持部材７ａに所定の角度ピッチ（４５°ピッチ）で円環状に形成された複数（８個）の埋込孔にそれぞれ嵌入されている。すなわち、これら埋込孔は、主駆動側磁石７ｂ及び副駆動側磁石７ｃ，７ｄの形状と略同一形状に形成されており、主駆動側磁石７ｂ及び副駆動側磁石７ｃ，７ｄを固定状態に保持する。
【００２９】
これら主駆動側磁石７ｂ及び副駆動側磁石７ｃ，７ｄのうち、主駆動側磁石７ｂは、図１に示すように従動側磁石６ｂと対峙するように、また図２Ｂに示すように従動側磁石６ｂと同様な角度ピッチ（４５°ピッチ）で円環状に設けられている。
【００３０】
これに対して、副駆動側磁石７ｃ，７ｄは、図１に示すように、回転中心軸Ｌｔの延在方向において主駆動側磁石７ｂを挟むように設けられており、また図１及び図２Ａ〜図２Ｃに示すように主駆動側磁石７ｂとは逆の極性に姿勢設定されている。すなわち、副駆動側磁石７ｃ，７ｄは、従動側磁石６ｂと同一極性となるように設けられている。
【００３１】
なお、このような主駆動側磁石７ｂ及び副駆動側磁石７ｃ，７ｄを保持する駆動側保持部材７ａは、上述した従動側保持部材６ａと同様に磁気抵抗が極力小さい材料によって形成されている。すなわち、駆動側保持部材７ａは、主駆動側磁石７ｂ及び副駆動側磁石７ｃ，７ｄが発する磁力線を透過し易い材料によって形成されている。
【００３２】
ところで、タービンＴは、図１に示すように、タービン軸受ケーシング８、タービンケーシング９、駆動軸１０、タービンディスク１１及び２つのタービン軸受１２Ａ，１２Ｂ等を備えている。タービン軸受ケーシング８は、ポンプ軸受ケーシング１と同様に例えば鋳造物であり、内部に駆動軸１０及び２つのタービン軸受１２Ａ，１２Ｂを収容するための収容空間Ｓｋが形成されている。この収容空間Ｓｋは、中心軸を有する略円筒状の空間（円筒状空間）である。
【００３３】
タービンケーシング９は、タービン軸受ケーシング８の他端に固定されており、内部にタービンディスク１１を収容するための収容空間Ｓｔが形成されている。すなわち、このタービンケーシング９は、収容空間Ｓｔの中心軸方向の他方側（図１における右側）に設けられている。上記収容空間Ｓｔは、収容空間Ｓｋの右端に連通する空間である。この収容空間Ｓｔには、中心軸に直交する方向に供給口９ａが形成されている。この供給口９ａは、スクロール流路９ｂを介して収容空間Ｓｔに連通しており、高圧の駆動流体が供給される開口である。なお、図示しないが、タービンケーシング９の右中心部には、上記駆動流体を排気する排気口が形成されている。
【００３４】
駆動軸１０は、２つのタービン軸受１２Ａ，１２Ｂを介してタービン軸受ケーシング８に支持されている。すなわち、この駆動軸１０は、回転中心軸Ｌｔが収容空間Ｓｋの中心軸と同軸となるように２つのタービン軸受１２Ａ，１２Ｂを介して収容空間Ｓｋに収容された所定長さの棒状部材である。この駆動軸１０は、２つのタービン軸受１２Ａ，１２Ｂを介してタービン軸受ケーシング８に支持されているので、回転中心軸Ｌｔ周りに回転自在である。
【００３５】
タービンディスク１１は、このような駆動軸１０の他端（右端）に装着された翼車である。すなわち、このタービンディスク１１は、駆動軸１０に支持されており、駆動軸１０の回転中心軸Ｌｔ周りに回転する。このタービンディスク１１は、スクロール流路９ｂから流入する駆動流体が噴き付けられることにより回転動力を発生する。
【００３６】
２つのタービン軸受１２Ａ，１２Ｂは、駆動軸１０の回転中心軸Ｌｔの延在方向に所定の距離を隔てて設けられており、固定系であるタービン軸受１２Ａ，１２Ｂに対して駆動軸１０を回転自在に支持する。このようなタービン軸受１２Ａ，１２Ｂは、例えばボールベアリングである。
【００３７】
次に、本実施形態に係るロケット燃料用ポンプの動作について詳しく説明する。
ポンプＰは、磁気継手Ｒを介することによってタービンＴ（駆動源）に磁気的に接続されている。すなわち、タービンＴの回転動力は、磁気継手ＲによってポンプＰの回転軸３に伝達され、回転軸３が上記回転動力によって駆動されることによりポンプインペラ４が回転する。
【００３８】
この結果、ロケット燃料は、吸込口２ａから収容空間Ｓｉに流入し、ポンプインペラ４の表面からスクロール流路２ｃに送り出される。そして、ロケット燃料は、スクロール流路２ｃを経由して吐出口２ｂから燃焼室に供給される。  
【００３９】
ここで、磁気継手Ｒにおける動力伝達動作についてさらに詳しく説明すると、磁気継手Ｒでは、従動継手部６の従動側保持部材６ａに所定の角度ピッチ（４５°ピッチ）で円環状に設けられた複数（８個）の従動側磁石６ｂと、駆動継手部７の駆動側保持部材７ａに同一の角度ピッチ（４５°ピッチ）で円環状に設けられた複数（８個）の主駆動側磁石７ｂとが図２Ｂに示すように互いに異なる極性で各々対峙することにより、各々の駆動側保持部材７ａと主駆動側磁石７ｂとの間に磁気的な引力が作用する。
【００４０】
この結果として、従動側保持部材６ａ（回転軸３）は、駆動軸１０の回転つまり駆動側保持部材７ａの回転に伴って、連動（従動）して回転する。すなわち、ポンプＰでは、回転軸３がタービンＴの駆動軸１０に対して同期回転することによってポンプインペラ４が回転し、以ってロケット燃料を燃焼室に向けて吐出する。
【００４１】
このようなロケット燃料用ポンプによれば、回転軸３を駆動軸１０に磁気的に連結することによってタービンＴ（駆動源）の回転動力を回転軸３に非接触で伝達する磁気継手Ｒを備えるので、回転軸３を介したロケット燃料（流体）の漏洩を確実に防止することが可能である。
【００４２】
また、磁気継手Ｒには、回転中心軸Ｌｐ，Ｌｔの延在方向において主駆動側磁石７ｂの一方側に隣接するように副駆動側磁石７ｃが設けられ、また主駆動側磁石７ｂの他方側に隣接するように副駆動側磁石７ｄが設けられている。このように主駆動側磁石７ｂを挟むように設けられた副駆動側磁石７ｃ，７ｄは、主駆動側磁石７ｂとは逆の極性、つまり従動継手部６の従動側磁石６ｂと同一極性となるように設けられているので、従動側磁石６ｂと副駆動側磁石７ｃとの間及び従動側磁石６ｂと副駆動側磁石７ｄとの間には磁気的な斥力が作用する。  
【００４３】
この斥力によって、回転軸３の、回転中心軸Ｌｐの延在方向における変位が規制される。すなわち、従動側磁石６ｂと副駆動側磁石７ｃ、７ｄとは、回転軸３に作用するスラスト力に抗して回転軸３の変位を抑制するスラスト軸受として機能する。したがって、本実施形態に係るロケット燃料用ポンプによれば、このような磁気的な斥力を利用したスラスト軸受を備えるので、回転軸３に作用するスラスト力に対して回転軸３（ポンプインペラ４）を安定して回転させることができる。
【００４４】
また、吸込口２ａから収容空間Ｓｉに流入したロケット燃料は、ポンプインペラ４の回転によってポンプインペラ４の表面からスクロール流路２ｃに送り出されるが、その一部は、ポンプインペラ４の背面に存在する隙間を経由して収容空間Ｓｊに流れ込み、さらに収容空間Ｓｊから空洞３ａ、連絡孔３ｂ、空間Ｓｒ及び連絡孔４ａを経由してポンプインペラ４の表面、つまり収容空間Ｓｉに戻る。
【００４５】
すなわち、本実施形態におけるポンプＰは、ロケット燃料がポンプ軸受５Ａ，５Ｂを経由して流れる軸受冷却流路を備える。したがって、このようなポンプＰによれば、回転軸３の回転に伴って発熱するポンプ軸受５Ａ，５Ｂをロケット燃料によって効果的に冷却することが可能である。また、これによって、回転軸３（ポンプインペラ４）を安定して回転させることができる。
【００４６】
さらに、従動側磁石６ｂは主に主駆動側磁石７ｂとの磁気的な相互作用によって発熱するが、従動継手部６の従動側保持部材６ａには、複数の冷却孔６ｃ（磁石冷却流路）が形成されている。この冷却孔６ｃにロケット燃料が流通することによって、冷却孔６ｃの近傍に設けられた従動側磁石６ｂが冷却される。したがって、本実施形態に係るロケット燃料用ポンプによれば、従動継手部６を効果的に冷却することが可能である。
【００４７】
なお、本開示は上記実施形態に限定されるものではなく、例えば以下のような変形例が考えられる。
（１）上記実施形態では、所定の角度ピッチ（４５°）で合計８個の従動側磁石６ｂ、主駆動側磁石７ｂ及び副駆動側磁石７ｃ，７ｄを設けたが、本開示はこれに限定されない。従動側磁石６ｂ、主駆動側磁石７ｂ及び副駆動側磁石７ｃ，７ｄの個数（極数）は、例えば２個（角度ピッチ＝１８０°）以上であれば幾つでもよい。
【００４８】
（２）また、上記実施形態では、従動側磁石６ｂの個数（極数）と駆動側磁石（主駆動側磁石７ｂ及び副駆動側磁石７ｃ，７ｄ）の個数（極数）とを同一としたが、本開示はこれに限定されない。例えば駆動側磁石の個数（極数）を従動側磁石６ｂの個数（極数）よりも多くしても良い。
【００４９】
（３）上記実施形態では、従動側磁石６ｂ及び駆動側磁石（主駆動側磁石７ｂ及び副駆動側磁石７ｃ，７ｄ）を、両端の外径が中央部の外径よりも大きな変形円柱状としたが、本開示はこれに限定されない。従動側磁石６ｂ及び駆動側磁石（主駆動側磁石７ｂ及び副駆動側磁石７ｃ，７ｄ）には回転に伴う遠心力が回転軸３の半径方向及び駆動軸１０の半径方向に作用するが、上記変形円柱状は、遠心力が作用する従動側磁石６ｂ及び駆動側磁石（主駆動側磁石７ｂ及び副駆動側磁石７ｃ，７ｄ）を埋込孔でより確実に保持させるための工夫であり、別の形状であっても良い。例えば、回転中心軸Ｌｐ，Ｌｔに近い側の外径が回転中心軸Ｌｐ，Ｌｔに遠い側の外径よりも大きい変形円錐状あるいは変形円柱であっても良い。
【００５０】
（４）上記実施形態では、回転軸３（従動側磁石６ｂ）に対してスラスト軸受として機能する副駆動側磁石７ｃ、７ｄを設けたが、本開示はこれに限定されない。必要に応じて副駆動側磁石７ｃ、７ｄを削除しても良い。
【００５１】
（５）上記実施形態では、駆動源をタービンＴとしたが、本開示はこれに限定されない。タービンＴに代えて他の動力源、例えば電動機を用いても良い。  
【００５２】
（６）上記実施形態では、従動側磁石６ｂ、主駆動側磁石７ｂ及び副駆動側磁石７ｃ，７ｄを永久磁石としたが、本開示はこれに限定されない。永久磁石に代えて電磁石を採用し、スリップリング等を用いてあるいは非接触給電によって駆動電流を通電しても良い。
【産業上の利用可能性】
【００５３】
本開示によれば、ロケット燃料用ポンプの回転軸を介したロケット燃料の漏洩を防止することができる。
【符号の説明】
【００５４】
Ｐ  ポンプ
Ｔ  タービン
Ｒ  磁気継手
１  ポンプ軸受ケーシング
２  ポンプケーシング
２ａ  吸込口
２ｂ  吐出口
３  回転軸
３ａ  空洞
３ｂ  連絡孔
４  ポンプインペラ
４ａ  連絡孔
５Ａ，５Ｂ  ポンプ軸受
６  従動継手部
６ａ  従動側保持部材
６ｂ  従動側磁石
６ｃ  冷却孔
７  駆動継手部
７ａ  駆動側保持部材
７ｂ  主駆動側磁石（駆動側磁石）
７ｃ，７ｄ  副駆動側磁石（駆動側磁石）
７ｅ  底部
７ｆ  筒部
８  タービン軸受ケーシング
９  タービンケーシング
１０  駆動軸
１１  タービンディスク
１２Ａ，１２Ｂ  タービン軸受
【図１】
0006750730.tif 000002
【図２Ａ】
0006750730.tif 000003
【図２Ｂ】
0006750730.tif 000004
【図２Ｃ】
0006750730.tif 000005